(57)【要約】【課題】  ラブが１秒間に作る磁気の光子のエネルギーと電気の光子のエネルギーは等しくなっているか。中性子はどのようになっているか。元素は星の中でどのようであったか。中性子ができた原因は何か。【解決手段】  磁気モーメントと電気モーメントのエネルギーを比較する。中性子の電子のラブが作る磁気モーメントは１／２スピンで約−０．１から−０．２です。この事によって、各元素の中性子の電子のラブの自転と公転は、ほぼ同じ大きさである事が解る。中性子の磁気モーメントはマイナスの磁気モーメントより現れないのは、電子の自転と陽子の自転は、まるで原子のようになっているからです。星の中では、元素の中性子は二重層になっていた。外側には原子番号の個数の中性子があり、内側には（核子数−原子番号）の個数の中性子があった。中央になる程、原子番号の大きな元素があった。中性子ができた原因は星の中の引力です。【選択図】図５
2006067794.tif 000002
【特許請求の範囲】
【請求項１】
ボーア磁子と万有引力について。
ボーア磁子は９．２７４×１０−２４Ｊ／Ｔです。
束を解けば、約１０８倍になりますから、エネルギーは、約１０８分の１になります。
それで、１電子から放出する磁気の光子のエネルギーは、１秒間で、軌道１ｍにおいて、
９．２７４×１０−２４Ｊ÷１０８＝９．２７４×１０−３２Ｊです。約９．２７４×１０−３２Ｊです。
この磁気のエネルギーが万有引力になる。
【請求項２】
１クーロンは何Ｊか。
電気の比例係数÷磁気の比例係数＝光速度２
磁気の比例係数は１０−７です。
それで、電気の比例係数は、光速度２×磁気の比例係数＝（３×１０８）２×１０−７＝９×１０９
導線１ｍでは、（９×１０９）１／２＝９．４８７×１０４です。
それで、１秒間走ると、９．４８７×１０４Ｎ×３×１０８ｍ＝２．８４６×１０１３Ｊです。
１クーロンは２．８４６×１０１３Ｊです。
【請求項３】
電気四重極モーメントの単位は、ｅ×１０−２８ｍ２（ｅ：電化素量）である。この事はどのような事か。
１クーロンは２．８４６×１０１３Ｊですから、
ｅ＝１．６０２×１０−１９Ｃ＝１．６０２×１０−１９×２．８４６×１０１３Ｊ＝４．５５３６×１０−６Ｊ
電気四重極モーメントの単位は、
ｅ×１０−２８ｍ２＝４．５５３６×１０−６Ｊ×１０−２８ｍ２＝４．５５３６×１０−３４Ｊｍ２です。
この事は、１つの陽子または１つの電子から放出する電気の光子のエネルギーは、１秒間で、軌道１ｍにおいて、４．５５３６×１０−３４Ｊ×電気四重極モーメントであることです。
【請求項４】
磁気二重極モーメントと電気四重極モーメントのエネルギーの比較。
磁気二重極モーメント＝Ａで、電気四重極モーメント＝Ｅであるとする。
磁気二重極モーメントを磁気モーメントと略す。電気四重極モーメントを電気モーメントと略す。
ラブが１秒間に作る磁気の光子のエネルギーは１ｍの軌道では、５．０５×１０−３５Ｊ×Ａです。
ラブが１秒間に作る電気の光子のエネルギーは１ｍの軌道では、４．５５３６×１０−３４Ｊ×Ｅです。
例えば、３３１６Ｓのスピンは３／２で、磁気モーメントは＋０．６４３２７で、電気モーメントは−０．０６４です。
この事は、１つの陽子のラブが１秒間に作る磁気の光子のエネルギーは、１ｍの軌道では、
磁気の光子のエネルギーは、５．０５×１０−３５Ｊ×０．６４３２７＝３．２４９×１０−３５Ｊです。
電気の光子のエネルギーは、４．５５３６×１０−３４Ｊ×０．０６４＝２．９１４×１０−３５Ｊです。
即ち、ラブが１秒間に作る磁気の光子のエネルギーと電気の光子のエネルギーはほぼ等しいことが理解できる。
磁気モーメントをＡとするとＥの値は、どれ位で、磁気の光子のエネルギーと電気の光子のエネルギーが同じになるか。
５．０５×１０−３５Ｊ×Ａ＝４．５５３６×１０−３４Ｊ×Ｅ
Ｅ＝５．０５×１０−３５Ｊ×Ａ÷（４．５５３６×１０−３４Ｊ）＝０．１１１×Ａ
Ｅが０．１１×Ａですと同じエネルギーになります。
この事によって、ラブが１秒間に作る磁気の光子のエネルギーと電気の光子のエネルギーはほぼ等しい事が証明できる。
【請求項５】
元素のスピンと磁気二重極モーメントと電気四重極モーメントから理解できる、元素のラブが１自転してできる磁気の光子１個のエネルギーと、ラブの自転軌道と、１秒間の自転数と、１秒間にできる磁気の光子のエネルギーと、１秒間にできる磁気の光子のエネルギー×ラブの自転軌道＝光子の１秒間の運動量と、１ｍの軌道に於ける磁気の光子のエネルギーと、１ｍの軌道における電気の光子のエネルギーについて。
元素のラブが１自転してできる磁気の光子１個のエネルギーと、ラブの自転軌道と、１秒間の自転数と、１秒間にできる磁気の光子のエネルギーと、１秒間にできる磁気の光子のエネルギー×ラブの自転軌道＝光子の１秒間の運動量と、１ｍの軌道に於ける磁気の光子のエネルギーについては、２００５年６月２９日提出した特許願いに記した。
１ｍの軌道における電気の光子のエネルギーについては今回の特許願いに記した。
その式により算出する。
例えば、
２５１２Ｍｇはスピンは５／２で、磁気モーメントは−０．８５５１２で、電気モーメントは＋０．２２です。スピン１／２で磁気モーメントは−０．１７１です。
この中性子の電子のラブが１自転してできる磁気の光子１個のエネルギーは、
３．９６４２５×１０−４１Ｊ×０．１７１＝６．７７９×１０−４２Ｊです。
中性子の電子のラブの自転軌道は、
６．１９４１９×１０−２２ｍ×０．１７１＝１．０５９×１０−２２ｍです。
公転軌道は、
６．１９４１９×１０−１４ｍ×０．１７１＝１．０５９×１０−１４ｍです。
１秒間の自転数は、
４×１０６ｍ÷（３．１４×１．０５９×１０−２２ｍ）＝１．２０３×１０２８回です。
１秒間にできる磁気の光子のエネルギーは、
６．７７９×１０−４２Ｊ×１．２０３×１０２８回＝８．１５５×１０−１４Ｊです。
１秒間にできる磁気の光子のエネルギー×ラブの自転軌道＝光子の１秒間の運動量は、
８．１５５×１０−１４Ｊ×１．０５９×１０−２２ｍ＝８．６３６×１０−３６Ｊ・ｍです。
１ｍの軌道に於ける磁気の光子のエネルギーは、
８．６３６×１０−３６Ｊ・ｍ÷１ｍ＝８．６３６×１０−３６Ｊ、
この５倍ですから、８．６３６×１０−３６Ｊ×５＝４．３１８×１０−３５Ｊです。
１ｍの軌道における電気の光子のエネルギーは、
４．５５３６×１０−３４Ｊ×０．２２＝１０−３４Ｊです。
例えば、
６３２９Ｃｕはスピンが３／２で、磁気の光子モーメントは＋２．２２６２で、電気の光子モーメントは−０．１８です。１／２スピンで磁気モーメントは＋０．７４２です。
陽子のラブが１自転してできる磁気の光子１個のエネルギーは、
７．９２８５×１０−３８Ｊ×０．７４２＝５．８８３×１０−３８Ｊです。
陽子のラブの自転軌道は、
６．６１×１０−２２ｍ×０．７４２＝４．９×１０−２２ｍです。
陽子のラブの公転軌道は、
６．６１×１０−１４ｍ×０．７４２＝４．９×１０−１４ｍです。
１秒間の自転数は、
２×１０３ｍ÷（３．１４×４．９×１０−２２ｍ）＝１．３×１０２４回です。
１秒間にできる磁気の光子のエネルギーは、
５．８８３×１０−３８Ｊ×１．３×１０２４回＝７．６４８×１０−１４Ｊです。
１秒間にできる磁気の光子のエネルギー×ラブの自転軌道（１秒間の運動量）は、
７．６４８×１０−１４Ｊ×４．９×１０−２２ｍ＝３．７４８×１０−３５Ｊ・ｍです。
１ｍの軌道に於ける磁気の光子のエネルギーは、
３．７４８×１０−３５Ｊ・ｍ÷１ｍ＝３．７４８×１０−３５Ｊ
この３倍ですから、３×３．７４８×１０−３５Ｊ＝１．１２４×１０−３４Ｊです。
１ｍの軌道における電気の光子のエネルギーは、
４．５５３６×１０−３４Ｊ×０．１８＝８．２×１０−３５Ｊです。
即ち、１ｍの軌道に於いて、磁気の光子のエネルギーと電気の光子のエネルギーはやや等しい。
【請求項６】
どうして、中性子からできる磁気の光子は、電子のラブが作るマイナスの回転方向の磁気の光子より現れないのか。
中性子の陽子のラブも磁気の光子を作っているのに、この＋の回転方向の磁気の光子は現れない。
これは、中性子は原子のようになっているからです。
電子のラブの自転軌道の大きさが、陽子のラブの自転軌道の約２０００倍に成っている。
陽子のラブが自転し、１秒間に作る磁気の光子のエネルギーと、電子のラブが自転し、１秒間に作る磁気の光子のエネルギーは等しい。
陽子のラブでできた磁気の光子は、電子の自転軌道と同じ軌道になるとき、軌道は２０００倍大きくなるので、エネルギーは２０００分の１に成ります。
それで、同じ軌道に於いて、陽子のラブが１秒間につくる磁気の光子のエネルギーは、電子のラブが１秒間に作る磁気の光子のエネルギーの２０００分の１になる。
そのため、同じ軌道に於いて、陽子が作る磁気の光子のエネルギーは現れない。
【請求項７】
原子番号の大きい元素の電気四重極モーメントが大きいのはどうしてか。
中性子の場合。
例えば、
２４１９４Ｐｕはスピンは５／２で、磁気モーメントは−０．６９で、電気モーメントは５．６です。１／２スピンで磁気モーメントは−０．１３８です。
この中性子の電子のラブの公転軌道（＝中性子の公転軌道）は、
６．１９４×１０−１４ｍ×０．１３８＝０．８５４８×１０−１４ｍです。
中性子、２４１−９４＝１４７個は、０．８５４８×１０−１４ｍの軌道を公転しています。
例えば、
１７３７０Ｙｂは、スピンは５／２で、磁気モーメントは−０．６７９５で、電気モーメントは３．０です。１／２スピンで磁気モーメントは−０．１３６です。
この中性子の電子のラブの公転軌道（＝中性子の公転軌道）は、
６．１９４×１０−１４ｍ×０．１３６＝０．８４２４×１０−１４ｍです。
中性子、１７３−７０＝１０３個は、０．８４２４×１０−１４ｍの軌道を公転しています。
例えば、
７９３４Ｓｅはスピンは７／２で、磁気モーメントは−１．０１８で、電気モーメントは０．８です。１／２スピンで磁気モーメントは−０．１４５です。
この中性子の電子のラブの公転軌道（＝中性子の公転軌道）は、
６．１９４×１０−１４ｍ×０．１４５＝０．８９８×１０−１４ｍです。
中性子、７９−３４＝４５個は、０．８９８×１０−１４ｍの軌道を公転しています。
例えば、
２５１２Ｍｇはスピンは５／２で、磁気モーメントは−０．８５５１２で、電気モーメントは＋０．２２です。１／２スピンで磁気モーメントは−０．１７１です。
この中性子の電子のラブの公転軌道（＝中性子の公転軌道）は、
６．１９４×１０−１４ｍ×０．１７１＝１．０５９３×１０−１４ｍです。
中性子、２５−１２＝１３個は、１．０５９３×１０−１４ｍの軌道を公転しています。
各元素の中性子の公転軌道と公転している中性子の数の割合（中性子の公転軌道における中性子密度）を求め、この値と電気モーメントの関係を調べる。
電子のラブの数÷公転軌道（＝中性子の公転軌道における中性子の密度）  の値は、
Ｐｕ：Ｙｂ：Ｓｅ：Ｍｇ＝１４７÷（０．８５４８×１０−１４ｍ）：１０３÷（０．８４２４×１０−１４ｍ）：４５÷（０．８９８×１０−１４ｍ）：１３÷（１．０５９３×１０−１４ｍ）＝１７１．９７：１２２．２７：５０．１１：１２．２７≒１４：１０：４：１＝３．０８：２．２：０．８８：０．２２です。
この値に対し、電気モーメントの値は、
Ｐｕ：Ｙｂ：Ｓｅ：Ｍｇ＝５．６：３：０．８：０．２２です。
この事によって、中性子の公転軌道に公転する中性子の数の割合（＝中性子の公転軌道における中性子の密度）が大きいほど、電気モーメントは大きい事が理解できる。
即ち、中性子の公転軌道には、元素の中性子が全て一緒に公転している事が証明できる。
【請求項８】
中性子はどのようになっているのか。
中性子の磁気モーメントは１／２スピンで、−０．１から−０．２のものが多い。中間の−０．１５とする。
▲１▼中性子の電子のラブの自転軌道の大きさは、
６．１９４１９×１０−２２ｍ×０．１５＝０．９２９×１０−２２ｍです。
▲２▼中性子の陽子ラブの自転軌道の大きさは、質量エネルギーの比であるとすると、中性子の電子のラブの軌道の２０００分の１です。
それで、中性子の陽子のラブの自転軌道の大きさは、
０．９２９×１０−２２ｍ÷２０００＝４．６４５×１０−２６ｍです。
▲３▼中性子の公転軌道の大きさは、電子のラブの公転軌道ですから、
０．９２９×１０−２２ｍ×１０８＝０．９２９×１０−１４ｍです。
この公転軌道を、元素の全ての中性子が公転している。元素の中性子の数をｎ個とする。
【請求項９】
中性子の電子のラブの１／２スピンの核磁気モーメントはおよそ−０．１から−０．２である。この事は何を物語るのか。
中性子の電子のラブの公転軌道が、どの元素においてもほぼ同じである事は、
どの元素でも、中性子の電子のラブの自転軌道はほぼ同じである事を示す。
中性子の電子のラブの自転軌道の大きさは中性子の大きさです。
どの元素でも、中性子の電子のラブの自転軌道の中を自転する陽子のラブの自転軌道は同じである事を示す。
どの元素においても、中性子はほぼ同じ大きさの軌道を公転している事を示す。
どの元素の中性子の大きさも同じで、同じ大きさの軌道を公転している事を示す。
この事は、中性子の電子のラブは、星の中で同じ大きさであった事を示す。
この事は、中性子は、星の中で同じ大きさであった事を示す。
この事は、星の中で、中性子は外側の中性子と内側の中性子の２層になっていたことを物語る。
星の中で元素は二重層になっていた。
外側の中性子の数は、原子番号と同じ数です。
内側の中性子の数は、核子数−原子番号です。
原子番号の大きな元素ほど、星の中央に存在した。
星の外側から内側に向かって、Ｈｅは外に中性子が２個、内に中性子が２個。Ｌｉは外に中性子が３個、内に中性子が３個。Ｂｅは外に中性子が４個、内に中性子が５個。Ｂは外に中性子が５個、内に中性子が６個。Ｃは外に中性子が６個、内に中性子が６個。Ｎは外に中性子が７個、内に中性子が７個。Ｃａは外に中性子が２０個、内に中性子が２０個。Ｓｎは外に中性子が５０個、内に中性子が６８個。Ｈｇは外に中性子が８０個、内に中性子が１２０個。Ａｍは外に中性子が９５個、内に中性子が１４６個となっている。
星が爆発後、
外側の中性子は軌道が拡大し、電子のラブとなり、陽子のラブとなった。
内側の中性子は、軌道が拡大したが、中性子の電子のラブ達は同じ公転軌道を、各々自転しながら公転している。中性子の陽子のラブ達は電子のラブと同じ公転軌道を公転している。
【請求項１０】
星の中で、元素はどのようであったか。
星の中で、水素の電子のラブと、陽子のラブは、軌道を小さくする。
星の中央になるほど電子のラブと、陽子のラブは、軌道を小さくする。
１５００万度で核融合反応がおきるとすると、軌道は、地球の軌道の、（地球を３００Ｋとすると）
１５００×１０４Ｋ÷３００Ｋ＝５×１０４分の１になる。１÷（５×１０４）＝２×１０−５倍になる。
地球の原子核の陽子のラブの公転軌道は、磁気モーメントを＋０．７とすると、
６．６１×１０−１４ｍ×０．７＝４．６２７×１０−１４ｍです。
星の中、１５００万度では、その陽子のラブの公転軌道は、
４．６２７×１０−１４ｍ×２×１０−５＝９．２５４×１０−１９ｍです。
地球の原子核の中性子の電子のラブの公転軌道（＝中性子の公転軌道）は、磁気モーメントを−０．１５とすると、
６．１９４１９×１０−１４ｍ×０．１５＝０．９２９×１０−１４ｍです。
星の中、１５００万度では、その中性子の公転軌道は、
０．９２９×１０−１４ｍ×２×１０−５＝１．８５８×１０−１９ｍです。
自転軌道は公転軌道の１０８分の１です。
【請求項１１】
各元素は、地球ではどのようであり、星の中でどのようであったか。一般式を示す。
磁気モーメントを１／２スピンで、＋Ａ−Ｂとする。陽子数をα、核子数をβとする。中性子はβ−αです。
地球において。
陽子のラブの自転軌道は、６．６１×１０−２２ｍ×Ａです。
陽子のラブの公転軌道は、６．６１×１０−１４ｍ×Ａです。
６．６１×１０−１４ｍ×Ａの公転軌道には、α個の陽子のラブが各自６．６１×１０−２２ｍ×Ａの軌道を自転しながら公転しています。
中性子の電子のラブの自転軌道は、６．１９４１９×１０−２２ｍ×Ｂです。
中性子の陽子のラブの自転軌道は、６．１９４１９×１０−２２ｍ×Ｂ÷２０００＝３．０９７×１０−２５ｍ×Ｂです。
中性子は陽子のラブの自転軌道の周りを電子のラブが自転しています。
中性子は、陽子のラブは３．０９７×１０−２５ｍ×Ｂの軌道を自転し、その周囲を、電子のラブは６．１９４１９×１０−２２ｍ×Ｂの軌道を自転しています。
中性子の電子のラブの公転軌道（＝中性子の公転軌道）は、６．１９４１９×１０−１４ｍ×Ｂです。
６．１９４１９×１０−１４ｍ×Ｂの公転軌道には、β−α個の中性子が公転しています。
星の中では。
１５００万Ｋ度で核融合反応がおきるとして、軌道は地球の５万分の１になっています。２×１０−５倍になっています。
陽子のラブの自転軌道は、６．６１×１０−２２ｍ×Ａ×２×１０−５＝１．３２２×１０−２６ｍ×Ａです。
陽子のラブの公転軌道は、６．６１×１０−１４ｍ×Ａ×２×１０−５＝１．３２２×１０−１８ｍ×Ａです。
１．３２２×１０−１８ｍ×Ａの公転軌道には、α個の陽子のラブが各自１．３２２×１０−２６ｍ×Ａの軌道を自転しながら公転しています。
電子のラブは陽子のラブの軌道の２０００倍の軌道を回転しています。
電子のラブの自転軌道は、１．３２２×１０−２６ｍ×Ａ×２０００＝２．６４４×１０−２３ｍ×Ａです。
電子のラブの公転軌道は、１．３２２×１０−１８ｍ×Ａ×２０００＝２．６４４×１０−１５ｍ×Ａです。
２．６４４×１０−１５ｍ×Ａの公転軌道には、α個の電子のラブが各自２．６４４×１０−２３ｍ×Ａの軌道を自転しながら公転しています。
これらの陽子のラブと電子のラブが核融合反応をします。
中性子の電子のラブの自転軌道は、６．１９４１９×１０−２２ｍ×Ｂ×２×１０−５＝１．２３９×１０−２６ｍ×Ｂです。
中性子の陽子のラブの自転軌道は、３．０９７×１０−２５ｍ×Ｂ×２×１０−５＝６．１９４×１０−３０ｍ×Ｂです。
中性子は、陽子のラブの自転の周りを電子のラブが自転しています。
中性子は、陽子のラブは６．１９４×１０−３０ｍ×Ｂで自転し、その周囲を電子のラブは１．２３９×１０−２６ｍ×で自転します。
中性子の電子のラブの公転軌道（中性子の公転軌道）は、６．１９４１９×１０−１４ｍ×Ｂ×２×１０−５＝１．２３９×１０−１８ｍ×Ｂです。
１．２３９×１０−１８ｍ×Ｂの公転軌道には、β−α個の中性子が公転しています。
例えば、Ｈｇの場合。
１９９８０Ｈｇのスピンは１／２で、核磁気モーメントは＋０．５２０２６です。Ａ＝０．５２０２６です。
２０１８０Ｈｇのスピンは３／２で、核磁気モーメントは−０．５５６５８です。Ｂ＝０．１８５です。
地球では。
陽子のラブの自転軌道は、
６．６１×１０−２２ｍ×０．５２＝３．４３７２×１０−２２ｍです。
陽子のラブ８０個の公転軌道は、
６．６１×１０−１４ｍ×０．５２＝３．４３７２×１０−１４ｍです。
電子のラブの自転軌道は、
１．３２２×１０−１８ｍ×０．５２＝６．８７４×１０−１９ｍです。
電子のラブ８０個の公転軌道は、
１．３２２×１０−１０ｍ×０．５２＝６．８７４×１０−１１ｍです。
中性子の電子のラブの自転軌道は、
６．１９４１９×１０−２２ｍ×０．１８５＝１．１４６×１０−２２ｍです。
中性子の陽子のラブの自転軌道は、
３．０９７×１０−２５ｍ×０．１８５＝５．７２３×１０−２６ｍです。
中性子は、陽子のラブは５．７２３×１０−２６ｍの軌道を自転し、その周囲を電子のラブは１．１４６×１０−２２ｍの軌道を自転しています。
中性子、２０１−８０＝１２１個の公転軌道は、
６．１９４１９×１０−１４ｍ×０．１８５＝１．４５９×１０−１４ｍです。
星の中では。
軌道は地球の２×１０−５倍です。
外側は、
陽子のラブの自転の軌道は、
１．３２２×１０−２６ｍ×０．５２＝６．８７４×１０−２７ｍです。
電子のラブの自転の軌道は、
２．６４４×１０−２３ｍ×０．５２＝１．３７５×１０−２３ｍです。
この陽子のラブと電子のラブが中性子になる。
内側の中性子は、
中性子の電子のラブの自転軌道は、
１．２３９×１０−２６ｍ×０．１８５＝２．２９２×１０−２７ｍです。
中性子の陽子のラブの自転軌道は、
６．１９４×１０−３０ｍ×０．１８５＝１．１４６×１０−３０ｍです。
中性子は、陽子のラブが１．１４６×１０−３０ｍの軌道を自転し、その周囲を電子のラブが２．２９２×１０−２７ｍの軌道を自転している。
中性子１２１個の公転軌道は、
１．２３９×１０−１８ｍ×０．１８５＝２．２９２×１０−１９ｍです。
【請求項１２】
星の中で中性子ができる原理。核融合反応の原理。
地球では、陽子のラブの自転軌道は、６．６１×１０−２２ｍ×Ａで、電子のラブの自転軌道は、１．３２２×１０−１８ｍ×Ａです。
星の中では、２×１０−５倍の軌道になります。
星の中では、陽子のラブの自転軌道は、１．３２２×１０−２６ｍ×Ａで、電子のラブの自転軌道は、
２．６４４×１０−２３ｍ×Ａになります。
引力は、２つの物質の距離の２乗に反比例します。
陽子のラブと、電子のラブの軌道は、２×１０−５倍になりますから、距離は２×１０−５倍になります。
それで、陽子のラブと、電子のラブの引力は、１÷（２×１０−５）２＝２５×１０８倍になります。
その結果、電子のラブの自転の中に陽子のラブは引き込まれる。
それで、中性子ができる。
地球の引力：星の中の引力＝１÷（１．３２２×１０−１８ｍ×Ａ）２：１÷（２．６４４×１０−２３ｍ×Ａ）２＝１：２５×１０８です。
又次のように考える事ができる。
電子のラブの軌道に於いて、１秒間にできる磁気の光子のエネルギーは、約８×１０−１４Ｊです。
星の中では、電子のラブの２．６４４×１０−２３ｍ×Ａの軌道のエネルギーは１秒間に、約８×１０−１４Ｊです。
地球では、電子のラブの１．３２２×１０−１８ｍ×Ａの軌道のエネルギーは１秒間に、約８×１０−１４Ｊです。
地球では、１．３２２×１０−１８ｍ×Ａの軌道の磁気の光子のエネルギーが、星の中では、２．６４４×１０−２３ｍ×Ａの軌道の磁気の光子の軌道のエネルギーです。
星の中の磁気の光子のエネルギー密度は５×１０４倍です。
星の中で、２つの物質間における磁気の光子のエネルギー密度は（５×１０４）２倍です。
星の中で、磁気の光子のエネルギー密度が大きいので、万有引力は大きい。
【請求項１３】
光子の運動量の式について。地球の場合と、核融合反応が行われる星の中の場合。
地球の場合。
光子の運動量はどのようなものであるか。
光子の１秒間の運動量＝ラブの１秒間の運動量＝１回転でできる光子のエネルギー×ラブの軌道×１秒間の回転数＝１秒間でできる光子のエネルギー×ラブの軌道
１回転でできる光子のエネルギー＝ラブの質量エネルギー×ラブの軌道×８×１０−７
電子のラブの場合、１秒間の回転数＝４×１０６ｍ÷（３．１４×ラブの軌道）です。
光子の１秒間の運動量＝ラブの１秒間の運動量＝１回転でできる光子のエネルギー×ラブの軌道×１秒間の回転数＝ラブの質量エネルギー×ラブの軌道×８×１０−７×ラブの軌道×４×１０６ｍ÷（３．１４×ラブの軌道）＝ラブの質量エネルギー×ラブの軌道×１．０２≒ラブの質量エネルギー×ラブの軌道
電子のラブの場合、光子の１秒間の運動量は、ラブの質量エネルギー×ラブの軌道です。
陽子のラブの場合、１秒間の回転数＝２×１０３ｍ÷（３．１４×ラブの軌道）です。
光子の１秒間の運動量＝ラブの１秒間の運動量＝１回転でできる光子のエネルギー×ラブの軌道×１秒間の回転数＝ラブの質量エネルギー×ラブの軌道×８×１０−７×ラブの軌道×２×１０３ｍ÷（３．１４×ラブの軌道）＝ラブの質量エネルギー×ラブの軌道×５×１０−４
陽子のラブの場合、光子の１秒間の運動量は、ラブの質量エネルギー×ラブの軌道×５．１×１０−４です。
この式によって、簡単に１ｍの軌道に於ける、１秒間にできる、磁気の光子のエネルギー（万有引力）や電気の光子のエネルギーが求められる。
そして、どのような軌道における、磁気の光子のエネルギー（万有引力）や電気の光子のエネルギーでも求めることができる。
星の場合。
星の場合は、地球のエネルギーの２５×１０８倍です。
電子のラブの場合、光子の１秒間の運動量は、ラブの質量エネルギー×ラブの軌道×２５×１０８です。
陽子のラブの場合、光子の１秒間の運動量は、ラブの質量エネルギー×ラブの軌道×５×１０−４×２５×１０８＝ラブの質量エネルギー×ラブの軌道×１０６です。
但しこれは核融合の場の運動量です。
星の表面の場合は、場のエネルギー密度が小さいので、倍数はこれより小さいです。
【請求項１４】
中性子が作る１ｍにおける、１秒間の磁気の光子のエネルギーはいくらか。
星の中でできた中性子が作る磁気の光子が地球に届く時の磁気の光子のエネルギーはいくらか。
磁気モーメントが−０．１５の場合。
中性子の電子のラブの軌道は、６．１９４１９×１０−２２ｍ×０．１５＝０．９２９×１０−２２ｍです。
それで、磁気の光子の１秒間の運動量は、
８×１０−１４Ｊ×０．９２９×１０−２２ｍ＝７．４３２×１０−３６Ｊ・ｍです。
それで、中性子が作る１ｍの軌道に於ける１秒間の磁気の光子のエネルギーは、
７．４３２×１０−３６Ｊ・ｍ÷１ｍ＝７．４３２×１０−３６Ｊです。
星の中で、中性子ができた時の中性子が作る磁気の光子の運動量は、
電子のラブの質量エネルギー×ラブの自転軌道×２５×１０８＝８×１０−１４Ｊ×１．８６×１０−２７ｍ×２５×１０８＝３．７２×１０−３０Ｊ・ｍです。
この磁気の光子が地球にたどりつくときは、軌道は約２．５×１０−１１ｍですから、
３．７２×１０−３０Ｊ・ｍ÷２．５×１０−１１ｍ＝１．４８８×１０−４１Ｊです。
【請求項１５】
１原子でできる万有引力が約１０−３１Ｊである理由。
１原子でできる万有引力は１ｍの軌道で、１．６３×１０−３１Ｊです。
ボーア磁子では、９．２７４×１０−３２Ｊです。
本発明者は電子のラブの自転を１．２５×１０−１８ｍと考えますので、電子のラブの運動量は、磁気の光子の場合、
磁気の光子の１秒間の運動量＝ラブの質量エネルギー×ラブの軌道＝
８×１０−１４Ｊ×１．２５×１０−１８ｍ＝１０−３１Ｊ・ｍです。
１ｍの軌道の磁気の光子のエネルギーは、
１０−３１Ｊ・ｍ÷１ｍ＝１０−３１Ｊです。
それで、電子が作る磁気の光子のエネルギーが万有引力に成っている。
【請求項１６】
核融合反応が１５００万Ｋ度でできたと考えられる根拠について。
殻を公転している電子のラブの自転軌道は１．２５×１０−１８ｍです。
中性子の電子のラブの自転軌道は磁気モーメントが−０．１５の場合、０．９２９×１０−２２ｍです。
中性子の電子のラブの自転軌道は電子のラブの自転軌道の、
０．９２９×１０−２２ｍ÷（１．２５×１０−１８ｍ）＝７．４３２×１０−５倍です。
それで、核融合反応は、軌道が７．４３２×１０−５倍の場でできた。
エネルギーは、１÷（７．４３２×１０−５）＝１．３４６×１０４倍の場でできた。
地球の温度を３００Ｋとしますと、
３００Ｋ×１．３４６×１０４＝４．０３８×１０６Ｋです。
約４００万Ｋであると考えられるが、できた中性子を結合させるためのエネルギーも必要であるから、４００万Ｋ以上の温度が必要である。
【発明の詳細な説明】
【技術分野】
【０００１】  本発明は中性子と素粒子に関する。
電子の自転によりできるボーア磁子に関する。
陽子の自転によりできるプラスの核磁気モーメントに関する。
中性子の電子の自転によりできるマイナスの核磁気モーメントに関する。
中性子の電子の公転によりできる電気四重極モーメントに関する。
中性子はどのようなものであるかに関する。
中性子の電子はどのようになっているかに関する。
中性子の陽子はどのようになっているかに関する。
中性子の公転軌道に関する。
地球の元素は星の中でどのようであったのかに関する。
中性子はどのような原理によってできたのかに関する。
核融合反応とはどういうことで、どのような原理によっておきるかに関する。
光子の１秒間の運動量に関する。
軌道に於ける光子の１秒間の運動量に関する。
【背景技術】
【０００２】  従来、ボーア磁子が万有引力であることは理解されていない。中性子はどのようなものであり、どのような原理によりできたのか理解されていない。
地球の元素は昔、星の中でどのようであったのかは理解されていない。
【発明の開示】
【発明が解決しようとする課題】
【０００３】１．ボーア磁子と万有引力について。
２．１クーロンは何Ｊか。
３．電気四重極モーメントの単位は、ｅ×１０−２８ｍ２（ｅ：電化素量）である。この事はどのような事か。
４．磁気二重極モーメントと電気四重極モーメントのエネルギーの比較。
５．元素のスピンと磁気二重極モーメントと電気四重極モーメントから理解できる、元素のラブが１自転してできる磁気の光子１個のエネルギーと、ラブの自転軌道と、１秒間の自転数と、１秒間にできる磁気の光子のエネルギーと、１秒間にできる磁気の光子のエネルギー×ラブの自転軌道（光子の１秒間の運動量）と、１ｍの軌道に於ける磁気の光子のエネルギーと、１ｍの軌道における電気の光子のエネルギーについて。
６．どうして、中性子からできる磁気の光子は、電子のラブが作るマイナスの回転方向の磁気の光子より現れないのか。
７．原子番号の大きい元素の電気四重極モーメントが大きいのはどうしてか。
８．中性子はどのようになっているのか。
９．中性子の電子のラブの１／２スピンの核磁気モーメントはおよそ−０．１から−０．２である。この事は何を物語るのか。
１０．星の中で、元素はどのようであったか。
１１．各元素は、地球ではどのようであり、星の中でどのようであったか。一般式を示す。
１２．星の中で中性子ができる原理。核融合反応の原理。
１３．光子の運動量の式について。地球の場合と、核融合反応が行われる星の中の場合。
１４．中性子が作る１ｍにおける、１秒間の磁気の光子のエネルギーはいくらか。星の中でできた中性子が作る磁気の光子が地球に届く時の磁気の光子のエネルギーはいくらか。
１５．１原子でできる万有引力が約１０−３１Ｊである理由。
１６．核融合反応が１５００万Ｋ度でできたと考えられる根拠について。
【発明を解決するための手段】
【０００４】  本発明者は、万有引力は電子のラブが自転して作る磁気の光子であると考える。ボーア磁子によってその事が証明される。
本発明者は、ラブが１秒間に作る磁気の光子のエネルギーと電気の光子のエネルギーは等しいと考える。はたしてそのように成っているのか。
この事は、各元素から発生する磁気モーメントのエネルギーと電気モーメントのエネルギーが等しい事によって証明できる。
中性子の磁気モーメントがマイナスの磁気モーメントより現れないのはどうしてか。
中性子は原子のようになっているからです。
中性子の電子のラブは、陽子の自転軌道の周りを自転している。それで、陽子の自転によってできる磁気の光子は軌道を２０００倍大きくしないと、電子のラブの軌道に届かない。電子のラブの軌道と同じ軌道になるとき、陽子のラブの自転でできた磁気の光子のエネルギーは２０００分の１になる。
それで、電子のラブが作るマイナスの磁気モーメントより現れない。
各元素の中性子はどのように成っているのか。
▲１▼同じ大きさの公転軌道でも、原子番号の大きな元素ほど、たくさんの電子のラブが公転しているので、できる電気モーメントが大きいと理解できる。
中性子の電子のラブの公転軌道は中性子の公転軌道であり、この公転軌道に元素の全ての中性子が公転している。
▲２▼中性子の電子のラブの１／２スピンの磁気モーメントは、ほぼ−０．１から−０．２である事から、２００５年６月２９日提出した特許願いに記した、公転軌道＝６．１９４×１０−１４×Ａと自転軌道＝６．１９４×１０−２２×Ａの式により、中性子の電子のラブの公転軌道と自転軌道は、どの元素もほぼ等しい事が理解できる。
この事によって、各元素の中性子の電子のラブはほぼ同じ大きさの軌道を自転し、公転している事が理解できる。
それでは、星の中で、元素はどのようであったか。
星の中で、各元素の中性子の電子のラブはほぼ同じ大きさの軌道を自転し、公転していた。
それは、内側の中性子でした。
星の中で、元素は二重層になっていた。
外側の中性子と内側の中性子になっていた。
外側の中性子の数は、原子番号と同じです。
内側の中性子の数は、核子数−原子番号です。
原子番号の大きなもの程、星の中央に存在した。
星の中で、核融合反応の温度は１５００万Ｋであるとし、地球の温度は３００Ｋであるとする。
星の中の軌道は、地球の軌道の約２×１０−５倍でした。
星の中で、核融合反応とはどのような反応で、どのような原理によりおきるのか。
核融合反応とは電子のラブの自転の中に、陽子のラブが引き込まれる反応です。
核融合反応は星の中の引力によっておきる。
星の中で、核反応がおきるエネルギーは、１５００万Ｋ度です。このエネルギーは地球のエネルギーの５×１０４倍です。それで、星の中では、軌道は２×１０−５倍となり、陽子のラブと電子のラブの距離は２×１０−５倍となります。引力は距離の２乗分の１ですから、１÷（２×１０−５）２＝２５×１０８倍になります。この引力が陽子のラブを電子のラブの自転軌道の中に引き込む。
中性子が作る１ｍにおける、１秒間の、磁気の光子のエネルギーはいくらか。
これは、光子の運動量によって求められる。
光子の運動量はどのようなものであるか。
式において軌道はラブの軌道です。
光子の１秒間の運動量＝ラブの１秒間の運動量＝１回転でできる光子のエネルギー×ラブの軌道×１秒間の回転数＝１秒間でできる光子のエネルギー×ラブの軌道
１回転でできる光子のエネルギー＝ラブの質量エネルギー×ラブの軌道×８×１０−７
電子のラブの場合、１秒間の回転数＝４×１０６ｍ÷（３．１４×ラブの軌道）です。
光子の１秒間の運動量＝ラブの１秒間の運動量＝１回転でできる光子のエネルギー×ラブの軌道×１秒間の回転数＝ラブの質量エネルギー×ラブの軌道×８×１０−７×ラブの軌道×４×１０６ｍ÷（３．１４×ラブの軌道）＝ラブの質量エネルギー×ラブの軌道×１．０２≒ラブの質量エネルギー×ラブの軌道
電子のラブの場合、光子の１秒間の運動量はラブの質量エネルギー×ラブの軌道です。
陽子のラブの場合、１秒間の回転数＝２×１０３ｍ÷（３．１４×ラブの軌道）です。
光子の１秒間の運動量＝ラブの１秒間の運動量＝１回転でできる光子のエネルギー×ラブの軌道×１秒間の回転数＝ラブの質量エネルギー×ラブの軌道×８×１０−７×ラブの軌道×２×１０３ｍ÷（３．１４×ラブの軌道）＝ラブの質量エネルギー×ラブの軌道×５×１０−４
この式によって、簡単に１ｍの軌道に於ける、１秒間にできる、磁気の光子のエネルギー（万有引力）や電気の光子のエネルギーが求められる。
そして、どのような軌道における、１秒間にできる、磁気の光子のエネルギー（万有引力）や電気の光子のエネルギーでも求めることができる。
【発明の実施態様】
【０００５】１．  ボーア磁子と万有引力について。
ボーア磁子は９．２７４×１０−２４Ｊ／Ｔです。
束を解けば、約１０８倍になりますから、エネルギーは、約１０８分の１になります。
それで、１電子から放出する磁気の光子のエネルギーは、１秒間で、軌道１ｍにおいて、
９．２７４×１０−２４Ｊ÷１０８＝９．２７４×１０−３２Ｊです。約９．２７４×１０−３２Ｊです。
この磁気のエネルギーが万有引力になる。
２．  １クーロンは何Ｊか。
電気の比例係数÷磁気の比例係数＝光速度２
磁気の比例係数は１０−７です。
それで、電気の比例係数は、光速度２×磁気の比例係数＝（３×１０８）２×１０−７＝９×１０９
導線１ｍでは、（９×１０９）１／２＝９．４８７×１０４です。
それで、１秒間走ると、９．４８７×１０４Ｎ×３×１０８ｍ＝２．８４６×１０１３Ｊです。
１クーロンは２．８４６×１０１３Ｊです。
３．  電気四重極モーメントの単位は、ｅ×１０−２８ｍ２（ｅ：電化素量）である。この事はどのような事か。
１クーロンは２．８４６×１０１３Ｊですから、
ｅ＝１．６０２×１０−１９Ｃ＝１．６０２×１０−１９×２．８４６×１０１３Ｊ＝４．５５３６×１０−６Ｊ
電気四重極モーメントの単位は、
ｅ×１０−２８ｍ２＝４．５５３６×１０−６Ｊ×１０−２８ｍ２＝４．５５３６×１０−３４Ｊｍ２です。
この事は、１つの陽子または１つの電子から放出する電気の光子のエネルギーは、１秒間で、軌道１ｍにおいて、４．５５３６×１０−３４Ｊ×電気四重極モーメントであることです。
４．  磁気二重極モーメントと電気四重極モーメントのエネルギーの比較。図１
磁気二重極モーメント＝Ａで、電気四重極モーメント＝Ｅであるとする。
磁気二重極モーメントを磁気モーメントと略す。電気四重極モーメントを電気モーメントと略す。
ラブが１秒間に作る磁気の光子のエネルギーは１ｍの軌道では、５．０５×１０−３５Ｊ×Ａです。
ラブが１秒間に作る電気の光子のエネルギーは１ｍの軌道では、４．５５３６×１０−３４Ｊ×Ｅです。
例えば、３３１６Ｓのスピンは３／２で、磁気モーメントは＋０．６４３２７で、電気モーメントは−０．０６４です。
この事は、１つの陽子のラブが１秒間に作る磁気の光子のエネルギーは、１ｍの軌道では、
磁気の光子のエネルギーは、５．０５×１０−３５Ｊ×０．６４３２７＝３．２４９×１０−３５Ｊです。
電気の光子のエネルギーは、４．５５３６×１０−３４Ｊ×０．０６４＝２．９１４×１０−３５Ｊです。
即ち、ラブが１秒間に作る磁気の光子のエネルギーと電気の光子のエネルギーはほぼ等しいことが理解できる。
磁気モーメントをＡとするとＥの値は、どれ位で、磁気の光子のエネルギーと電気の光子のエネルギーが同じになるか。
５．０５×１０−３５Ｊ×Ａ＝４．５５３６×１０−３４Ｊ×Ｅ
Ｅ＝５．０５×１０−３５Ｊ×Ａ÷（４．５５３６×１０−３４Ｊ）＝０．１１１×Ａ
Ｅが０．１１×Ａですと同じエネルギーになります。
この事によって、ラブが１秒間に作る磁気の光子のエネルギーと電気の光子のエネルギーはほぼ等しい事が証明できる。
５．  元素のスピンと磁気二重極モーメントと電気四重極モーメントから理解できる、元素のラブが１自転してできる磁気の光子１個のエネルギーと、ラブの自転軌道と、１秒間の自転数と、１秒間にできる磁気の光子のエネルギーと、１秒間にできる磁気の光子のエネルギー×ラブの自転軌道＝光子の１秒間の運動量と、１ｍの軌道に於ける磁気の光子のエネルギーと、１ｍの軌道における電気の光子のエネルギーについて。図２
元素のラブが１自転してできる磁気の光子１個のエネルギーと、ラブの自転軌道と、１秒間の自転数と、１秒間にできる磁気の光子のエネルギーと、１秒間にできる磁気の光子のエネルギー×ラブの自転軌道＝光子の１秒間の運動量と、１ｍの軌道に於ける磁気の光子のエネルギーについては、２００５年６月２９日提出した特許願いに記した。
１ｍの軌道における電気の光子のエネルギーについては今回の特許願いに記した。
その式により算出する。
例えば、
２５１２Ｍｇはスピンは５／２で、磁気モーメントは−０．８５５１２で、電気モーメントは＋０．２２です。スピン１／２で磁気モーメントは−０．１７１です。
この中性子の電子のラブが１自転してできる磁気の光子１個のエネルギーは、
３．９６４２５×１０−４１Ｊ×０．１７１＝６．７７９×１０−４２Ｊです。
中性子の電子のラブの自転軌道は、
６．１９４１９×１０−２２ｍ×０．１７１＝１．０５９×１０−２２ｍです。
公転軌道は、
６．１９４１９×１０−１４ｍ×０．１７１＝１．０５９×１０−１４ｍです。
１秒間の自転数は、
４×１０６ｍ÷（３．１４×１．０５９×１０−２２ｍ）＝１．２０３×１０２８回です。
１秒間にできる磁気の光子のエネルギーは、
６．７７９×１０−４２Ｊ×１．２０３×１０２８回＝８．１５５×１０−１４Ｊです。
１秒間にできる磁気の光子のエネルギー×ラブの自転軌道＝光子の１秒間の運動量は、
８．１５５×１０−１４Ｊ×１．０５９×１０−２２ｍ＝８．６３６×１０−３６Ｊ・ｍです。
１ｍの軌道に於ける磁気の光子のエネルギーは、
８．６３６×１０−３６Ｊ・ｍ÷１ｍ＝８．６３６×１０−３６Ｊ、
この５倍ですから、８．６３６×１０−３６Ｊ×５＝４．３１８×１０−３５Ｊです。
１ｍの軌道における電気の光子のエネルギーは、
４．５５３６×１０−３４Ｊ×０．２２＝１０−３４Ｊです。
例えば、
６３２９Ｃｕはスピンが３／２で、磁気の光子モーメントは＋２．２２６２で、電気の光子モーメントは−０．１８です。１／２スピンで磁気モーメントは＋０．７４２です。
陽子のラブが１自転してできる磁気の光子１個のエネルギーは、
７．９２８５×１０−３８Ｊ×０．７４２＝５．８８３×１０−３８Ｊです。
陽子のラブの自転軌道は、
６．６１×１０−２２ｍ×０．７４２＝４．９×１０−２２ｍです。
陽子のラブの公転軌道は、
６．６１×１０−１４ｍ×０．７４２＝４．９×１０−１４ｍです。
１秒間の自転数は、
２×１０３ｍ÷（３．１４×４．９×１０−２２ｍ）＝１．３×１０２４回です。
１秒間にできる磁気の光子のエネルギーは、
５．８８３×１０−３８Ｊ×１．３×１０２４回＝７．６４８×１０−１４Ｊです。
１秒間にできる磁気の光子のエネルギー×ラブの自転軌道（１秒間の運動量）は、
７．６４８×１０−１４Ｊ×４．９×１０−２２ｍ＝３．７４８×１０−３５Ｊ・ｍです。
１ｍの軌道に於ける磁気の光子のエネルギーは、
３．７４８×１０−３５Ｊ・ｍ÷１ｍ＝３．７４８×１０−３５Ｊ
この３倍ですから、３×３．７４８×１０−３５Ｊ＝１．１２４×１０−３４Ｊです。
１ｍの軌道における電気の光子のエネルギーは、
４．５５３６×１０−３４Ｊ×０．１８＝８．２×１０−３５Ｊです。
即ち、１ｍの軌道に於いて、磁気の光子のエネルギーと電気の光子のエネルギーはやや等しい。
６．  どうして、中性子からできる磁気の光子は、電子のラブが作るマイナスの回転方向の磁気の光子より現れないのか。図３
中性子の陽子のラブも磁気の光子を作っているのに、この＋の回転方向の磁気の光子は現れない。
これは、中性子は原子のようになっているからです。
電子のラブの自転軌道の大きさが、陽子のラブの自転軌道の約２０００倍に成っている。
陽子のラブが自転し、１秒間に作る磁気の光子のエネルギーと、電子のラブが自転し、１秒間に作る磁気の光子のエネルギーは等しい。
陽子のラブでできた磁気の光子は、電子の自転軌道と同じ軌道になるとき、軌道は２０００倍大きくなるので、エネルギーは２０００分の１に成ります。
それで、同じ軌道に於いて、陽子のラブが１秒間につくる磁気の光子のエネルギーは、電子のラブが１秒間に作る磁気の光子のエネルギーの２０００分の１になる。
そのため、同じ軌道に於いて、陽子が作る磁気の光子のエネルギーは現れない。
７．  原子番号の大きい元素の電気四重極モーメントが大きいのはどうしてか。中性子の場合。図４
例えば、
２４１９４Ｐｕはスピンは５／２で、磁気モーメントは−０．６９で、電気モーメントは５．６です。１／２スピンで磁気モーメントは−０．１３８です。
この中性子の電子のラブの公転軌道（＝中性子の公転軌道）は、
６．１９４×１０−１４ｍ×０．１３８＝０．８５４８×１０−１４ｍです。
中性子、２４１−９４＝１４７個は、０．８５４８×１０−１４ｍの軌道を公転しています。
例えば、
１７３７０Ｙｂは、スピンは５／２で、磁気モーメントは−０．６７９５で、電気モーメントは３．０です。１／２スピンで磁気モーメントは−０．１３６です。
この中性子の電子のラブの公転軌道（＝中性子の公転軌道）は、
６．１９４×１０−１４ｍ×０．１３６＝０．８４２４×１０−１４ｍです。
中性子、１７３−７０＝１０３個は、０．８４２４×１０−１４ｍの軌道を公転しています。
例えば、
７９３４Ｓｅはスピンは７／２で、磁気モーメントは−１．０１８で、電気モーメントは０．８です。１／２スピンで磁気モーメントは−０．１４５です。
この中性子の電子のラブの公転軌道（＝中性子の公転軌道）は、
６．１９４×１０−１４ｍ×０．１４５＝０．８９８×１０−１４ｍです。
中性子、７９−３４＝４５個は、０．８９８×１０−１４ｍの軌道を公転しています。
例えば、
２５１２Ｍｇはスピンは５／２で、磁気モーメントは−０．８５５１２で、電気モーメントは＋０．２２です。１／２スピンで磁気モーメントは−０．１７１です。
この中性子の電子のラブの公転軌道（＝中性子の公転軌道）は、
６．１９４×１０−１４ｍ×０．１７１＝１．０５９３×１０−１４ｍです。
中性子、２５−１２＝１３個は、１．０５９３×１０−１４ｍの軌道を公転しています。
各元素の中性子の公転軌道と公転している中性子の数の割合（中性子の公転軌道における中性子密度）を求め、この値と電気モーメントの関係を調べる。
電子のラブの数÷公転軌道（＝中性子の公転軌道における中性子の密度）  の値は、
Ｐｕ：Ｙｂ：Ｓｅ：Ｍｇ＝１４７÷（０．８５４８×１０−１４ｍ）：１０３÷（０．８４２４×１０−１４ｍ）：４５÷（０．８９８×１０−１４ｍ）：１３÷（１．０５９３×１０−１４ｍ）＝１７１．９７：１２２．２７：５０．１１：１２．２７≒１４：１０：４：１＝３．０８：２．２：０．８８：０．２２です。
この値に対し、電気モーメントの値は、
Ｐｕ：Ｙｂ：Ｓｅ：Ｍｇ＝５．６：３：０．８：０．２２です。
この事によって、中性子の公転軌道に公転する中性子の数の割合（＝中性子の公転軌道における中性子の密度）が大きいほど、電気モーメントは大きい事が理解できる。
即ち、中性子の公転軌道には、元素の中性子が全て一緒に公転している事が証明できる。
８．  中性子はどのようになっているのか。図５
中性子の磁気モーメントは１／２スピンで、−０．１から−０．２のものが多い。中間の−０．１５とする。
▲１▼中性子の電子のラブの自転軌道の大きさは、
６．１９４１９×１０−２２ｍ×０．１５＝０．９２９×１０−２２ｍです。
▲２▼中性子の陽子ラブの自転軌道の大きさは、質量エネルギーの比であるとすると、中性子の電子のラブの軌道の２０００分の１です。
それで、中性子の陽子のラブの自転軌道の大きさは、
０．９２９×１０−２２ｍ÷２０００＝４．６４５×１０−２６ｍです。
▲３▼中性子の公転軌道の大きさは、電子のラブの公転軌道ですから、
０．９２９×１０−２２ｍ×１０８＝０．９２９×１０−１４ｍです。
この公転軌道を、元素の全ての中性子が公転している。元素の中性子の数をｎ個とする。
９．  中性子の電子のラブの１／２スピンの核磁気モーメントはおよそ−０．１から−０．２である。この事は何を物語るのか。図６
中性子の電子のラブの公転軌道が、どの元素においてもほぼ同じである事は、
どの元素でも、中性子の電子のラブの自転軌道はほぼ同じである事を示す。
中性子の電子のラブの自転軌道の大きさは中性子の大きさです。
どの元素でも、中性子の電子のラブの自転軌道の中を自転する陽子のラブの自転軌道は同じである事を示す。
どの元素においても、中性子はほぼ同じ大きさの軌道を公転している事を示す。
どの元素の中性子の大きさも同じで、同じ大きさの軌道を公転している事を示す。
この事は、中性子の電子のラブは、星の中で同じ大きさであった事を示す。
この事は、中性子は、星の中で同じ大きさであった事を示す。
この事は、星の中で、中性子は外側の中性子と内側の中性子の２層になっていたことを物語る。
星の中で元素は二重層になっていた。
外側の中性子の数は、原子番号と同じ数です。
内側の中性子の数は、核子数−原子番号です。
原子番号の大きな元素ほど、星の中央に存在した。
星の外側から内側に向かって、Ｈｅは外に中性子が２個、内に中性子が２個。Ｌｉは外に中性子が３個、内に中性子が３個。Ｂｅは外に中性子が４個、内に中性子が５個。Ｂは外に中性子が５個、内に中性子が６個。Ｃは外に中性子が６個、内に中性子が６個。Ｎは外に中性子が７個、内に中性子が７個。Ｃａは外に中性子が２０個、内に中性子が２０個。Ｓｎは外に中性子が５０個、内に中性子が６８個。Ｈｇは外に中性子が８０個、内に中性子が１２０個。Ａｍは外に中性子が９５個、内に中性子が１４６個となっている。
星が爆発後、
外側の中性子は軌道が拡大し、電子のラブとなり、陽子のラブとなった。
内側の中性子は、軌道が拡大したが、中性子の電子のラブ達は同じ公転軌道を、各々自転しながら公転している。中性子の陽子のラブ達は電子のラブと同じ公転軌道を公転している。
１０．  星の中で、元素はどのようであったか。
星の中で、水素の電子のラブと、陽子のラブは、軌道を小さくする。
星の中央になるほど電子のラブと、陽子のラブは、軌道を小さくする。
１５００万度で核融合反応がおきるとすると、軌道は、地球の軌道の、（地球を３００Ｋとすると）
１５００×１０４Ｋ÷３００Ｋ＝５×１０４分の１になる。１÷（５×１０４）＝２×１０−５倍になる。
地球の原子核の陽子のラブの公転軌道は、磁気モーメントを＋０．７とすると、
６．６１×１０−１４ｍ×０．７＝４．６２７×１０−１４ｍです。
星の中、１５００万度では、その陽子のラブの公転軌道は、
４．６２７×１０−１４ｍ×２×１０−５＝９．２５４×１０−１９ｍです。
地球の原子核の中性子の電子のラブの公転軌道（＝中性子の公転軌道）は、磁気モーメントを−０．１５とすると、
６．１９４１９×１０−１４ｍ×０．１５＝０．９２９×１０−１４ｍです。
星の中、１５００万度では、その中性子の公転軌道は、
０．９２９×１０−１４ｍ×２×１０−５＝１．８５８×１０−１９ｍです。
自転軌道は公転軌道の１０８分の１です。
１１．  各元素は、地球ではどのようであり、星の中でどのようであったか。一般式を示す。図７
磁気モーメントを１／２スピンで、＋Ａ−Ｂとする。陽子数をα、核子数をβとする。中性子はβ−αです。
地球において。
陽子のラブの自転軌道は、６．６１×１０−２２ｍ×Ａです。
陽子のラブの公転軌道は、６．６１×１０−１４ｍ×Ａです。
６．６１×１０−１４ｍ×Ａの公転軌道には、α個の陽子のラブが各自６．６１×１０−２２ｍ×Ａの軌道を自転しながら公転しています。
中性子の電子のラブの自転軌道は、６．１９４１９×１０−２２ｍ×Ｂです。
中性子の陽子のラブの自転軌道は、６．１９４１９×１０−２２ｍ×Ｂ÷２０００＝３．０９７×１０−２５ｍ×Ｂです。
中性子は陽子のラブの自転軌道の周りを電子のラブが自転しています。
中性子は、陽子のラブは３．０９７×１０−２５ｍ×Ｂの軌道を自転し、その周囲を電子のラブは６．１９４１９×１０−２２ｍ×Ｂの軌道を自転しています。
中性子の電子のラブの公転軌道（＝中性子の公転軌道）は、６．１９４１９×１０−１４ｍ×Ｂです。
６．１９４１９×１０−１４ｍ×Ｂの公転軌道には、β−α個の中性子が公転しています。
星の中では。
１５００万Ｋ度で核融合反応がおきるとして、軌道は地球の５万分の１になっています。２×１０−５倍になっています。
陽子のラブの自転軌道は、６．６１×１０−２２ｍ×Ａ×２×１０−５＝１．３２２×１０−２６ｍ×Ａです。
陽子のラブの公転軌道は、６．６１×１０−１４ｍ×Ａ×２×１０−５＝１．３２２×１０−１８ｍ×Ａです。
１．３２２×１０−１８ｍ×Ａの公転軌道には、α個の陽子のラブが各自１．３２２×１０−２６ｍ×Ａの軌道を自転しながら公転しています。
電子のラブは陽子のラブの軌道の２０００倍の軌道を回転しています。
電子のラブの自転軌道は、１．３２２×１０−２６ｍ×Ａ×２０００＝２．６４４×１０−２３ｍ×Ａです。
電子のラブの公転軌道は、１．３２２×１０−１８ｍ×Ａ×２０００＝２．６４４×１０−１５ｍ×Ａです。
２．６４４×１０−１５ｍ×Ａの公転軌道には、α個の電子のラブが各自２．６４４×１０−２３ｍ×Ａの軌道を自転しながら公転しています。
これらの陽子のラブと電子のラブが核融合反応をします。
中性子の電子のラブの自転軌道は、６．１９４１９×１０−２２ｍ×Ｂ×２×１０−５＝１．２３９×１０−２６ｍ×Ｂです。
中性子の陽子のラブの自転軌道は、３．０９７×１０−２５ｍ×Ｂ×２×１０−５＝６．１９４×１０−３０ｍ×Ｂです。
中性子は、陽子のラブの自転の周りを電子のラブが自転しています。
中性子は、陽子のラブは６．１９４×１０−３０ｍ×Ｂで自転し、その周囲を電子のラブは１．２３９×１０−２６ｍ×で自転します。
中性子の電子のラブの公転軌道（中性子の公転軌道）は、６．１９４１９×１０−１４ｍ×Ｂ×２×１０−５＝１．２３９×１０−１８ｍ×Ｂです。
１．２３９×１０−１８ｍ×Ｂの公転軌道には、β−α個の中性子が公転しています。
これを表にします。
2006067794.tif 000003
2006067794.tif 000004
例えば、Ｈｇの場合。
１９９８０Ｈｇのスピンは１／２で、核磁気モーメントは＋０．５２０２６です。Ａ＝０．５２０２６です。
２０１８０Ｈｇのスピンは３／２で、核磁気モーメントは−０．５５６５８です。Ｂ＝０．１８５です。
地球では。
陽子のラブの自転軌道は、
６．６１×１０−２２ｍ×０．５２＝３．４８７２×１０−２２ｍです。
陽子のラブ８０個の公転軌道は、
６．６１×１０−１４ｍ×０．５２＝３．４３７２×１０−１４ｍです。
電子のラブの自転軌道は、
１．３２２×１０−１８ｍ×０．５２＝６．８７４×１０−１９ｍです。
電子のラブ８０個の公転軌道は、
１．３２２×１０−１０ｍ×０．５２＝６．８７４×１０−１１ｍです。
中性子の電子のラブの自転軌道は、
６．１９４１９×１０−２２ｍ×０．１８５＝１．１４６×１０−２２ｍです。
中性子の陽子のラブの自転軌道は、
３．０９７×１０−２５ｍ×０．１８５＝５．７２３×１０−２６ｍです。
中性子は、陽子のラブは５．７２３×１０−２６ｍの軌道を自転し、その周囲を電子のラブは１．１４６×１０−２２ｍの軌道を自転しています。
中性子、２０１−８０＝１２１個の公転軌道は、
６．１９４１９×１０−１４ｍ×０．１８５＝１．４５９×１０−１４ｍです。
星の中では。
軌道は地球の２×１０−５倍です。
外側は、
陽子のラブの自転の軌道は、
１．３２２×１０−２６ｍ×０．５２＝６．８７４×１０−２７ｍです。
電子のラブの自転の軌道は、
２．６４４×１０−２３ｍ×０．５２＝１．３７５×１０−２３ｍです。
この陽子のラブと電子のラブが中性子になる。
内側の中性子は、
中性子の電子のラブの自転軌道は、
１．２３９×１０−２６ｍ×０．１８５＝２．２９２×１０−２７ｍです。
中性子の陽子のラブの自転軌道は、
６．１９４×１０−３０ｍ×０．１８５＝１．１４６×１０−３０ｍです。
中性子は、陽子のラブが１．１４６×１０−３０ｍの軌道を自転し、その周囲を電子のラブが２．２９２×１０−２７ｍの軌道を自転している。
中性子１２１個の公転軌道は、
１．２３９×１０−１８ｍ×０．１８５＝２．２９２×１０−１９ｍです。
１２．  星の中で中性子ができる原理。核融合反応の原理。図８
地球では、陽子のラブの自転軌道は、６．６１×１０−２２ｍ×Ａで、電子のラブの自転軌道は、１．３２２×１０−１８ｍ×Ａです。
星の中では、２×１０−５倍の軌道になります。
星の中では、陽子のラブの自転軌道は、１．３２２×１０−２６ｍ×Ａで、電子のラブの自転軌道は、２．６４４×１０−２３ｍ×Ａになります。
引力は、２つの物質の距離の２乗に反比例します。
陽子のラブと、電子のラブの軌道は、２×１０−５倍になりますから、距離は２×１０−５倍になります。
それで、陽子のラブと、電子のラブの引力は、１÷（２×１０−５）２＝２５×１０８倍になります。
その結果、電子のラブの自転の中に陽子のラブは引き込まれる。
それで、中性子ができる。
地球の引力：星の中の引力＝１÷（１．３２２×１０−１８ｍ×Ａ）２：１÷（２．６４４×１０−２３ｍ×Ａ）２＝１：２５×１０８です。
又次のように考える事ができる。
電子のラブの軌道に於いて、１秒間にできる磁気の光子のエネルギーは、約８×１０−１４Ｊです。
星の中では、電子のラブの２．６４４×１０−２３ｍ×Ａの軌道のエネルギーは１秒間に、約８×１０−１４Ｊです。
地球では、電子のラブの１．３２２×１０−１８ｍ×Ａの軌道のエネルギーは１秒間に、約８×１０−１４Ｊです。
地球では、１．３２２×１０−１８ｍ×Ａの軌道の磁気の光子のエネルギーが、星の中では、２．６４４×１０−２３ｍ×Ａの軌道の磁気の光子の軌道のエネルギーです。
星の中の磁気の光子のエネルギー密度は５×１０４倍です。
星の中で、２つの物質間における磁気の光子のエネルギー密度は（５×１０４）２倍です。
星の中で、磁気の光子のエネルギー密度が大きいので、万有引力は大きい。
１３．  光子の運動量の式について。地球の場合と、核融合反応が行われる星の中の場合。
地球の場合。
光子の運動量はどのようなものであるか。
光子の１秒間の運動量＝ラブの１秒間の運動量＝１回転でできる光子のエネルギー×ラブの軌道×１秒間の回転数＝１秒間でできる光子のエネルギー×ラブの軌道
１回転でできる光子のエネルギー＝ラブの質量エネルギー×ラブの軌道×８×１０−７
電子のラブの場合、１秒間の回転数＝４×１０６ｍ÷（３．１４×ラブの軌道）です。
光子の１秒間の運動量＝ラブの１秒間の運動量＝１回転でできる光子のエネルギー×ラブの軌道×１秒間の回転数＝ラブの質量エネルギー×ラブの軌道×８×１０−７×ラブの軌道×４×１０６ｍ÷（３．１４×ラブの軌道）＝ラブの質量エネルギー×ラブの軌道×１．０２４≒ラブの質量エネルギー×ラブの軌道
電子のラブの場合、光子の１秒間の運動量は、ラブの質量エネルギー×ラブの軌道です。
陽子のラブの場合、１秒間の回転数＝２×１０３ｍ÷（３．１４×ラブの軌道）です。
光子の１秒間の運動量＝ラブの１秒間の運動量＝１回転でできる光子のエネルギー×ラブの軌道×１秒間の回転数＝ラブの質量エネルギー×ラブの軌道×８×１０−７×ラブの軌道×２×１０３ｍ÷（３．１４×ラブの軌道）＝ラブの質量エネルギー×ラブの軌道×５×１０−４
陽子のラブの場合、光子の１秒間の運動量は、ラブの質量エネルギー×ラブの軌道×５．１×１０−４です。
この式によって、簡単に１ｍの軌道に於ける、１秒間にできる、磁気の光子のエネルギー（万有引力）や電気の光子のエネルギーが求められる。
そして、どのような軌道における、磁気の光子のエネルギー（万有引力）や電気の光子のエネルギーでも求めることができる。
星の場合。
星の場合は、地球のエネルギーの２５×１０８倍です。
電子のラブの場合、光子の１秒間の運動量は、ラブの質量エネルギー×ラブの軌道×２５×１０８です。
陽子のラブの場合、光子の１秒間の運動量は、ラブの質量エネルギー×ラブの軌道×５×１０−４×２５×１０８＝ラブの質量エネルギー×ラブの軌道×１０６です。
但しこれは核融合の場の運動量です。
星の表面の場合は、場のエネルギー密度が小さいので、倍数はこれより小さいです。
１４．  中性子が作る１ｍにおける、１秒間の磁気の光子のエネルギーはいくらか。星の中でできた中性子が作る磁気の光子が地球に届く時の磁気の光子のエネルギーはいくらか。
磁気モーメントが−０．１５の場合。
中性子の電子のラブの軌道は、６．１９４１９×１０−２２ｍ×０．１５＝０．９２９×１０−２２ｍです。
それで、磁気の光子の１秒間の運動量は、
８×１０−１４Ｊ×０．９２９×１０−２２ｍ＝７．４３２×１０−３６Ｊ・ｍです。
それで、中性子が作る１ｍの軌道に於ける１秒間の磁気の光子のエネルギーは、
７．４３２×１０−３６Ｊ・ｍ÷１ｍ＝７．４３２×１０−３６Ｊです。
星の中で、中性子ができた時の中性子が作る磁気の光子の運動量は、
電子のラブの質量エネルギー×ラブの自転軌道×２５×１０８＝８×１０−１４Ｊ×１．８６×１０−２７ｍ×２５×１０８＝３．７２×１０−３０Ｊ・ｍです。
この磁気の光子が地球にたどりつくときは、軌道は約２．５×１０−１１ｍですから、
３．７２×１０−３０Ｊ・ｍ÷２．５×１０−１１ｍ＝１．４８８×１０−４１Ｊです。
１５．  １原子でできる万有引力が約１０−３１Ｊである理由。
１原子でできる万有引力は１ｍの軌道で、１．６３×１０−３１Ｊです。
ボーア磁子では、９．２７４×１０−３２Ｊです。
本発明者は電子のラブの自転を１．２５×１０−１８ｍと考えますので、電子のラブの運動量は、磁気の光子の場合、
磁気の光子の１秒間の運動量＝ラブの質量エネルギー×ラブの軌道＝
８×１０−１４Ｊ×１．２５×１０−１８ｍ＝１０−３１Ｊ・ｍです。
１ｍの軌道の磁気の光子のエネルギーは、
１０−３１Ｊ・ｍ÷１ｍ＝１０−３１Ｊです。
それで、電子が作る磁気の光子のエネルギーが万有引力に成っている。
１６．  核融合反応が１５００万Ｋ度でできたと考えられる根拠について。
殻を公転している電子のラブの自転軌道は１．２５×１０−１８ｍです。
中性子の電子のラブの自転軌道は磁気モーメントが−０．１５の場合、０．９２９×１０−２２ｍです。
中性子の電子のラブの自転軌道は電子のラブの自転軌道の、
０．９２９×１０−２２ｍ÷（１．２５×１０−１８ｍ）＝７．４３２×１０−５倍です。
それで、核融合反応は、軌道が７．４３２×１０−５倍の場でできた。
エネルギーは、１÷（７．４３２×１０−５）＝１．３４６×１０４倍の場でできた。
地球の温度を３００Ｋとしますと、
３００Ｋ×１．３４６×１０４＝４．０３８×１０６Ｋです。
約４００万Ｋであると考えられるが、できた中性子を結合させるためのエネルギーも必要であるから、４００万Ｋ以上の温度が必要である。
【発明の効果】
【０００６】１．万有引力は原子が作る磁気の光子のエネルギーである事が、ボーア磁子から簡単に求められることを理解できた。
２．ラブが１秒間に作る磁気の光子のエネルギーと電気の光子のエネルギーが等しい事が、磁気モーメントと電気モーメントのエネルギーがほぼ等しい事によって証明できた。
３．中性子が作る磁気モーメントはマイナスより現れない事から、中性子とは陽子のラブの自転の周囲を、電子のラブが自転しているものである事を証明できた。
４．中性子の陽子のラブの自転軌道は、電子のラブの自転軌道の１／２０００であると理解できた。
５．中性子の数÷中性子の公転軌道と、電気モーメントの関係によって、中性子の公転軌道には元素の全ての中性子が一緒に公転している事を理解できた。
６．中性子の磁気モーメントが１／２スピンで−０．１５であるとした場合、中性子はどのようになっているのかを理解できた。
７．元素は昔、星の中で二重層になっている事を理解できた。
８．各元素は、地球ではどのようであり、昔、星の中ではどのようであったかを理解できた。
９．星の中で、中性子ができた原理は、星の中の万有引力が、地球の万有引力の２５×１０８倍であったからである事を理解できた。
１０．光子の運動量の求め方。地球の場合と、核融合の場合について理解できた。
１１．中性子が作る万有引力について理解できた。
１２．１原子でできる万有引力が光子の運動量の式で求められた。
１３．核融合反応が行われた場の温度を求められた。
【図面の簡単な説明】
【０００７】
【図１】磁気二重極モーメント＝Ａで、電気四重極モーメント＝Ｅであるとする。ラブが１秒間に作る磁気の光子のエネルギーは１ｍの軌道では、５．０５×１０−３５Ｊ×Ａです。ラブが１秒間に作る電気の光子のエネルギーは１ｍの軌道では、４．５５３６×１０−３４Ｊ×Ｅです。
【図２】２５１２Ｍｇの場合。中性子の電子のラブの自転軌道は、１．０５９×１０−２２ｍです。公転軌道は、１．０５９×１０−１４ｍです。１ｍの軌道に於ける磁気の光子のエネルギーは、１．１２４×１０−３４Ｊです。１ｍの軌道における電気の光子のエネルギーは、８．２×１０−３５Ｊです。６３２９Ｃｕの場合。陽子のラブの自転軌道は、４．９×１０−２２ｍです。陽子のラブの公転軌道は、４．９×１０−１４ｍです。１ｍの軌道に於ける磁気の光子のエネルギーは、１．１２４×１０−３４Ｊです。１ｍの軌道における電気の光子のエネルギーは、８．２×１０−３５Ｊです。
【図３】中性子は陽子のラブの自転軌道の周囲を、電子のラブが自転している。
【図４】電子のラブの数÷公転軌道（＝中性子の公転軌道における中性子の密度）  の値は、Ｐｕ：Ｔｂ：Ｓｅ：Ｍｇ＝１４７÷（０．８５４８×１０−１４ｍ）：１０３÷（０．８４２４×１０−１４ｍ）：４５÷（０．８９８×１０−１４ｍ）：１３÷（１．０５９３×１０−１４ｍ）＝１７１．９７：１２２．２７：５０．１１：１２．２７≒１４：１０：４：１＝３．０８：２．２：０．８８：０．２２です。この値に対し、電気モーメントの値は、Ｐｕ：Ｙｂ：Ｓｅ：Ｍｇ＝５．６：３：０．８：０．２２です。
【図５】中性子の磁気モーメントが１／２スピンで−０．１５の場合。中性子の電子のラブの自転軌道の大きさは、０．９２９×１０−２２ｍです。中性子の陽子ラブの自転軌道の大きさは、４．６４５×１０−２６ｍです。中性子の公転軌道は電子のラブの公転軌道ですから、０．９２９×１０−１４ｍです。この公転軌道を、元素の全ての中性子が公転している。元素の中性子の数をｎとする。
【図６】星の中で元素は二重層になっていた。外側の中性子の数は、原子番号と同じ数です。内側の中性子の数は、核子数−原子番号です。星の外側から内側に向かって、Ｈｅは外に中性子が２個、内に中性子が２個。Ｃは外に中性子が６個、内に中性子が６個。Ｃａは外に中性子が２０個、内に中性子が２０個。Ｓｎは外に中性子が５０個、内に中性子が６８個。Ｈｇは外に中性子が８０個、内に中性子が１２０個。Ａｍは外に中性子が９５個、内に中性子が１４６個存在した。
【図７】Ｈｇの場合。地球では。陽子のラブ８０個の公転軌道は、３．４３７２×１０−１４ｍです。自転軌道は、３．４３７２×１０−２２ｍです。電子のラブ８０個の公転軌道は、６．８７４×１０−１１ｍです。自転軌道は、６．８７４×１０−１９ｍです。中性子の電子のラブの自転軌道は、１．１４６×１０−２２ｍです。中性子の陽子のラブの自転軌道は、５．７２３×１０−２６ｍです。中性子は陽子のラブが５．７２３×１０−２６ｍの軌道を自転し、その周囲を電子のラブが１．１４６×１０−２２ｍの軌道で自転しています。中性子１２１個の公転軌道は、１．４５９×１０−１４ｍです。星の中では、軌道は、地球の２×１０−５倍です。
【図８】地球で、電子のラブの自転は、１．３２２×１０−１８ｍ×Ａです。星の中で、電子のラブの自転は、２．６４４×１０−２３ｍ×Ａです。引力は距離の２乗に反比例しますから、地球の引力：星の中の引力＝１÷（１．３２２×１０−１８ｍ×Ａ）２：１÷（２．６４４×１０−２３ｍ×Ａ）２＝１：２５×１０８です。
【符号の説明】
【０００８】１  陽子のラブ
２  １ｍの軌道
３  磁気の光子のエネルギー
４  電気の光子のエネルギー
５  中性子の電子のラブ
６  自転軌道
７  公転軌道
８  中性子の陽子のラブ
９  中性子の電子のラブの自転軌道
１０  中性子の陽子のラブの自転軌道
１１  中性子の公転軌道
１２  電気モーメント
１３  ｎ個の中性子
１４  星
１５  外の中性子
１６  内の中性子
１７  電子のラブ
１８  地球の電子のラブの自転軌道
１９  星の中の電子のラブの自転軌道
【図１】
2006067794.tif 000005
【図２】
2006067794.tif 000006
【図３】
2006067794.tif 000007
【図４】
2006067794.tif 000008
【図５】
2006067794.tif 000009
【図６】
2006067794.tif 000010
【図７】
2006067794.tif 000011
【図８】
2006067794.tif 000012